(57)【要約】【課題】ドレンパン及びドレンポンプを備えた空気調和装置において、ドレンポンプの試運転時に、排水確認を行うのに必要なセンサ類の数が増加するのを抑えつつ、ドレンポンプによるドレン管からの排水確認を十分に行えるようにする。【解決手段】空気調和装置１は、ドレンパン７と、ドレンパン７に溜まった水をドレン管９から排水するためのドレンポンプ８とを備えている。ドレンポンプ８は、ドレン管９に接続されたポンプ本体８１と、ポンプ本体８１を駆動する直流モータ８２とを有している。そして、この空気調和装置１は、ドレンポンプ８の試運転時における直流モータ８２の電流値の変動に基づいて、ドレンポンプ８によるドレン管９からの排水が適正に行われているかどうかを判定する排水確認判定を行う。【選択図】図５
2007303720.tif 000002
【特許請求の範囲】
【請求項１】
ドレンパン（７）と、
ドレン管（９）に接続されたポンプ本体（８１）と前記ポンプ本体を駆動する直流モータ（８２）とを有しており、前記ドレンパンに溜まった水を前記ドレン管から排水するためのドレンポンプ（８）とを備え、
前記ドレンポンプの試運転時における前記直流モータの電流値の変動に基づいて、前記ドレンポンプによる前記ドレン管からの排水が適正に行われているかどうかを判定する排水確認判定を行う、
空気調和装置（１）。
【請求項２】
前記排水確認判定において、前記ドレンポンプ（８）による前記ドレン管（９）からの排水が適正に行われていない旨の判定がされた場合には、排水異常信号を出力する、請求項１に記載の空気調和装置（１）。
【請求項３】
前記ドレンポンプ（８）の試運転時における前記直流モータ（８２）の電流値の変動に基づいて、前記ドレンパン（７）への給水量が不足していないかどうかを判定する給水量判定をさらに行う、請求項１又は２に記載の空気調和装置（１）。
【請求項４】
前記給水量判定において、前記ドレンパン（７）への給水量が不足している旨の判定がされた場合には、給水異常信号を出力する、請求項３に記載の空気調和装置（１）。
【請求項５】
前記排水確認判定において、前記直流モータ（８２）の電流値が、前記ドレンポンプ（８）の試運転の開始から所定の第１時間（ｔ１）を経過した時点において所定の第１電流設定値（ｉ１）を超え、かつ、前記第１時間よりも大きい所定の第２時間（ｔ２）を経過した時点において前記第１電流設定値よりも小さい所定の第２電流設定値（ｉ１）以下となる排水適正条件を満たす場合には、前記ドレンポンプによる前記ドレン管（９）からの排水が適正に行われているものとし、前記排水適正条件を満たさない場合には、前記ドレンポンプによる前記ドレン管からの排水が適正に行われていないものとする、請求項１〜４のいずれかに記載の空気調和装置（１）。
【請求項６】
前記給水量判定において、前記直流モータ（８２）の電流値が、前記ドレンポンプ（８）の試運転の開始から前記第１時間（ｔ１）を経過した時点において前記第２電流設定値（ｉ２）以上となる給水適正条件を満たす場合には、前記ドレンパン（７）への給水が適正に行われているものとし、前記給水適正条件を満たさない場合には、前記ドレンパンへの給水が不足しているものとする、請求項５に記載の空気調和装置（１）。
【請求項７】
前記ドレンポンプ（８）の試運転は、試運転スイッチ（２６ａ）によって行われる、請求項１〜６のいずれかに記載の空気調和装置（１）。
【請求項８】
前記試運転スイッチ（２６ａ）は、リモートコントローラ（２６）に設けられている、請求項７に記載の空気調和装置（１）。
【発明の詳細な説明】
【技術分野】
【０００１】
本発明は、空気調和装置、特に、ドレンパンとドレンポンプとを備えた空気調和装置に関する。
【背景技術】
【０００２】
従来の空気調和装置として、結露した水を受けるためのドレンパンと、ドレンパンに溜まった水をドレン管から排水するためのドレンポンプとを備えたものがある。そして、このような空気調和装置として、空気調和装置本体及びその下面に装着される化粧パネルを備えた天井埋込型の形態で設置される空気調和装置がある。
【０００３】
この天井埋込型の空気調和装置は、まず、吊ボルトを用いて天井裏空間等に空気調和装置本体が吊り下げられ、冷媒管やドレン管が天井裏空間等に設置されるとともに空気調和装置本体にこれらの配管が接続され、化粧パネルが空気調和装置本体の下面に装着されることによって設置される。ここで、ドレン管を設置した後には、ドレン管からの排水が適正に行われるかどうかを確認（以下、この確認をドレン管からの排水確認とする）するために、ドレンパンに意図的に給水した状態でドレンポンプの運転（以下、この運転をドレンポンプの試運転とする）を行なうようにしている。そして、ドレン管からの排水確認において、ドレンポンプによるドレン管からの排水が適正に行われていないことが発見された場合には、ドレン管の設置工事の不具合が生じていると判断して、ドレン管の設置をやり直すものとされている。
【０００４】
そして、ドレン管からの排水確認の方法として、特許文献１に示されるように、作業者の目視等による方法や、ドレンパンの水位の検知による方法、ドレン管内の水の通過を検知する方法がある。また、特許文献２に示されるように、ドレンポンプの吐出圧力及び回転数の検知による方法がある。
【特許文献１】特開２００１−２６３７１１号公報
【特許文献２】特開２００３−１３９３４４号公報
【発明の開示】
【発明が解決しようとする課題】
【０００５】
上述の特許文献１におけるドレン管からの排水確認では、作業者の目視等による検知や、ドレンパンの水位の検知、ドレン管内の通水状態の検知によるものであるため、目視等により明らかな場合や、ドレンパンの水位に変化が生じない場合、ドレン管内に通水がない場合等のような極端な場合には、ドレンポンプによるドレン管からの排水が適正に行われていないことを発見することができる。
【０００６】
しかし、ドレン管からの排水確認を正確に行うためには、ドレンポンプの運転中の揚程（以下、この揚程をポンプ揚程とする）とドレン管の設置状態によって決まる揚程（以下、この揚程を配管揚程とする）との関係が適正であるかどうかという観点、及び、ドレン管からの排水流量が適正であるかどうかという観点の両方から確認する必要がある。
【０００７】
これに対して、特許文献１におけるドレン管からの排水確認では、定量性に欠けるため、ポンプ揚程と配管揚程との関係が適正であるかどうかや、ドレン管からの排水流量が適正であるかどうかを判定しにくく、ドレンポンプによるドレン管からの排水が適正に行われていないことを発見できないおそれがあるという問題がある。
【０００８】
また、上述の特許文献２におけるドレン管からの排水確認では、ドレンポンプの吐出圧力を検出することでポンプ揚程自体を確認することができるが、ドレンポンプの吐出圧力だけでは、ドレン管からの排水流量に関する情報が得られないことから、ポンプ揚程と配管揚程との関係が適正であるかどうか、及び、ドレン管からの排水流量が適正であるかどうかを判定するために、ドレンポンプの回転数を用いる必要がある。このため、ドレン管からの排水確認を正確に行うにあたり、必要なセンサ類の数が多くなるという問題がある。
【０００９】
本発明の課題は、ドレンパン及びドレンポンプを備えた空気調和装置において、ドレンポンプの試運転時に、排水確認を行うのに必要なセンサ類の数が増加するのを抑えつつ、ドレンポンプによるドレン管からの排水確認を十分に行えるようにすることにある。
【課題を解決するための手段】
【００１０】
第１の発明にかかる空気調和装置は、ドレンパンと、ドレンパンに溜まった水をドレン管から排水するためのドレンポンプとを備えている。ドレンポンプは、ドレン管に接続されたポンプ本体と、ポンプ本体を駆動する直流モータとを有している。そして、この空気調和装置は、ドレンポンプの試運転時における直流モータの電流値の変動に基づいて、ドレンポンプによるドレン管からの排水が適正に行われているかどうかを判定する排水確認判定を行う。
【００１１】
この空気調和装置では、ポンプ本体の駆動に直流モータを使用しているため、電流値をトルク値と等価なものとして取り扱うことができる。そして、直流モータによってポンプ本体を駆動することで、ドレンポンプの試運転を開始すると、試運転の開始初期は、ポンプ揚程が低く吐出流量が増加する傾向にあるため、電流値は大きくなる。その後、ポンプ本体から吐出された水がドレン管内に満ちるにつれて、ポンプ揚程が上昇しかつ吐出流量が減少する傾向になるため、電流値は小さくなる。そして、ポンプ揚程が配管揚程に達するまで水がドレン管内に満ちると、電流値がほぼ一定となり、この運転状態に見合った吐出流量をもって水がドレン管から排出されることになる。そして、この運転が継続されると、ドレンパン内に給水された水の量が減少して、ポンプ本体の吸込口から吸い込むことができない状態に達するため、水がポンプ本体８１から吐出されなくなって電流値が急激に小さくなる。
【００１２】
このように、この空気調和装置において、ドレンポンプの試運転時における電流値の変動は、ポンプ揚程と配管揚程との関係が適正であるかどうか、及び、ドレン管からの排水流量が適正であるかどうかを現すものである。そこで、この空気調和装置では、ポンプ本体を駆動する直流モータの電流値の変動に基づいて、ドレンポンプによるドレン管からの排水が適正に行われているかどうかを判定する排水確認判定を行うようにしている。このように、ポンプ本体を駆動する直流モータの電流値の変動に基づいて、排水確認判定を行うようにしているため、排水確認を行うのに必要なセンサ類が電流計等の電流検出手段のみにすることができ、排水確認を行うのに必要なセンサ類の数が増加するのを抑えることができる。しかも、直流モータの電流値の変動はトルク値に等価なものとして取り扱うことができるため、排水確認判定における定量性も高く、ドレンポンプによるドレン管からの排水確認を十分に行うことができる。
【００１３】
第２の発明にかかる空気調和装置は、第１の発明にかかる空気調和装置において、排水確認判定において、ドレンポンプによるドレン管からの排水が適正に行われていない旨の判定がされた場合には、排水異常信号を出力する。
【００１４】
この空気調和装置では、排水確認判定において、ドレンポンプによるドレン管からの排水が適正に行われていない旨の判定がされた場合には、排水異常信号を出力するようにしているため、作業者がドレンポンプによるドレン管からの排水が適正に行われていない旨を知り、速やかにドレン管の設置をやり直す等の措置をとることができる。
【００１５】
第３の発明にかかる空気調和装置は、第１又は第２の発明にかかる空気調和装置において、ドレンポンプの試運転時における直流モータの電流値の変動に基づいて、ドレンパンへの給水量が不足していないかどうかを判定する給水量判定をさらに行う。
【００１６】
ドレンポンプの試運転の際には、ドレンパンへの意図的な給水が行われる。しかし、このときの給水量が不足していると、ポンプ揚程が配管揚程に達するまで水がドレン管内に満ちる前に、ポンプ本体の吸込口から吸い込むことができない状態に達する場合がある。このような場合には、ドレン管からの排水が適正に行われる場合のように、電流値がほぼ一定となるような電流値の変動が現れなくなる。そこで、この空気調和装置では、ドレンポンプの試運転時における直流モータの電流値の変動に基づいて、ドレンパンへの給水量が不足していないかどうかを判定する給水量判定をさらに行うようにしている。このように、ポンプ本体を駆動する直流モータの電流値の変動に基づいて給水量判定を行うようにしているため、ドレンパンへの給水量が不足した状態であるかどうかについても確認を行うことができる。
【００１７】
第４の発明にかかる空気調和装置は、第３の発明にかかる空気調和装置において、給水量判定において、ドレンパンへの給水量が不足している旨の判定がされた場合には、給水異常信号を出力する。
【００１８】
この空気調和装置では、給水量判定において、ドレンパンへの給水量が不足している旨の判定がされた場合には、給水異常信号を出力するようにしているため、作業者がドレンパンへの給水量が不足した状態においてドレンポンプの試運転が行われたことを知り、速やかにドレンパンへの給水をやり直す措置をとることができる。
【００１９】
第５の発明にかかる空気調和装置は、第１〜第４の発明のいずれかにかかる空気調和装置において、排水確認判定において、直流モータの電流値が、ドレンポンプの試運転の開始から所定の第１時間を経過した時点において所定の第１電流設定値を超え、かつ、第１時間よりも大きい所定の第２時間を経過した時点において第１電流設定値よりも小さい所定の第２電流設定値以下となる排水適正条件を満たす場合には、ドレンポンプによるドレン管からの排水が適正に行われているものとし、排水適正条件を満たさない場合には、ドレンポンプによるドレン管からの排水が適正に行われていないものとする。
【００２０】
この空気調和装置では、ドレンポンプの試運転時における電流値の変動のうち、ポンプ揚程が配管揚程に達するまで水がドレン管内に満ちた時点からポンプ本体の吸込口から吸い込むことができない状態に達して水が吐出されなくなる時点までの電流値の変動に着目して、排水確認判定を行うようにしている。ここで、排水適正条件としての「第１時間を経過した時点において第１電流設定値を超え」という条件は、ポンプ揚程が配管揚程に達するまで水がドレン管内に満ちた状態になった後からポンプ本体の吸込口から吸い込むことができない状態に達する前までの間の電流値が、ドレン管からの排水流量が十分に確保できる程度の電流値を超えているかどうかを判定することを意味している。また、「第２時間を経過した時点において第２電流設定値以下」という条件は、ポンプ揚程が配管揚程に達するまで水がドレン管内に満ちた状態になった後に、ドレンパンに給水された水がなくなってポンプ本体の吸込口から空気を吸い込む運転がなされている状態（すなわち、ポンプ本体の吸込口から水を吸い込むことができない状態）の電流値になっているかどうかを判定することを意味している。すなわち、この排水適正条件は、ポンプ揚程と配管揚程との関係が適正であるかどうか、及び、ドレン管からの排水流量が適正であるかどうかという観点からドレンポンプによるドレン管からの排水が適正に行われているかどうかを判定する条件を意味している。
【００２１】
このように、この空気調和装置では、このような排水適正条件を満たすかどうかによって排水確認判定を行っているため、ドレンポンプによるドレン管からの排水確認を正確に行うことができる。
【００２２】
第６の発明にかかる空気調和装置は、第５の発明にかかる空気調和装置において、給水量判定において、直流モータの電流値が、ドレンポンプの試運転の開始から第１時間を経過した時点において第２電流設定値以上となる給水適正条件を満たす場合には、ドレンパンへの給水が適正に行われているものとし、給水適正条件を満たさない場合には、ドレンパンへの給水が不足しているものとする。
【００２３】
この空気調和装置では、ドレンポンプの試運転時における電流値の変動のうち、ドレンポンプの試運転の開始時点からポンプ揚程が配管揚程に達する時点までの電流値の変動に着目して、給水量判定を行うようにしている。ここで、給水適正条件としての「ドレンポンプの試運転の開始から第１時間を経過した時点において第２電流設定値以上」という条件は、ドレンポンプの試運転の開始からポンプ揚程が配管揚程に達するまでの間の電流値が、ポンプ揚程が配管揚程に達する前に、ドレンパンに給水された水がなくなってポンプ本体の吸込口から空気を吸い込む運転がなされている状態（すなわち、ポンプ本体の吸込口から水を吸い込むことができない状態）の電流値を超えているかどうかを判定することを意味している。
【００２４】
このように、この空気調和装置では、このような給水適正条件を満たすかどうかによって給水量判定を行っているため、ドレンパンへの給水量が不足した状態であるかどうかの確認を正確に行うことができる。
【００２５】
第７の発明にかかる空気調和装置は、第１〜第６の発明のいずれかにかかる空気調和装置において、ドレンポンプの試運転は、試運転スイッチによって行われる。
【００２６】
この空気調和装置では、試運転スイッチの操作によってドレンポンプの試運転を行うことができるため、作業が確実になる。
【００２７】
第８の発明にかかる空気調和装置は、第７の発明のいずれかにかかる空気調和装置において、試運転スイッチは、リモートコントローラに設けられている。
【００２８】
この空気調和装置では、試運転スイッチがリモートコントローラに設けられているため、作業が容易になる。
【発明の効果】
【００２９】
以上の説明に述べたように、本発明によれば、以下の効果が得られる。
【００３０】
第１の発明では、排水確認を行うのに必要なセンサ類の数が増加するのを抑えることができるとともに、ドレンポンプによるドレン管からの排水確認を十分に行うことができる。
【００３１】
第２の発明では、作業者がドレンポンプによるドレン管からの排水が適正に行われていない旨を知り、速やかにドレン管の設置をやり直す等の措置をとることができる。
【００３２】
第３の発明では、ドレンパンへの給水量が不足した状態であるかどうかについても確認を行うことができる。
【００３３】
第４の発明では、作業者がドレンパンへの給水量が不足した状態においてドレンポンプの試運転が行われたことを知り、速やかにドレンパンへの給水をやり直す措置をとることができる。
【００３４】
第５の発明では、ドレンポンプによるドレン管からの排水確認を正確に行うことができる。
【００３５】
第６の発明では、ドレンパンへの給水量が不足した状態であるかどうかの確認を正確に行うことができる。
【００３６】
第７の発明では、ドレンポンプの試運転の作業が確実になる。
【００３７】
第８の発明では、ドレンポンプの試運転の作業が容易になる。
【発明を実施するための最良の形態】
【００３８】
以下、本発明にかかる空気調和装置の実施形態について、図面に基づいて説明する。
【００３９】
（１）空気調和装置の全体構成
図１は、本発明の一実施形態にかかる空気調和装置１の外観斜視図（天井は省略）である。空気調和装置１は、天井埋込型の空気調和装置であり、空気調和装置本体２と、空気調和装置本体２の下側に装着された化粧パネル３とを備えている。ここでは、空気調和装置本体２は、図２（空気調和装置１の概略側面断面図であって、図３のＡ−Ａ断面図）に示されるように、空調室の天井Ｕに形成された開口に挿入されて配置されている。そして、化粧パネル３は、天井Ｕの開口に嵌め込まれるように配置されている。尚、図３は、空気調和装置１の概略平面断面図であって、図２のＢ−Ｂ断面図である。
【００４０】
空気調和装置本体２は、内部に各種構成機器を収納するケーシング２ａと、化粧パネル３の吸入口３１（後述）を通じて空調室内の空気をケーシング２ａ内に吸入して外周方向に吹き出す送風機４と、送風機４の外周を囲むように配置された熱交換器６とが配置されている。化粧パネル３には、空調室内の空気を吸入する吸入口３１と、空調室内に空気を吹き出す吹出口３２とが形成されている。
【００４１】
熱交換器６の下側には、熱交換器６において発生するドレン水を受けるためのドレンパン７が配置されている。ドレンパン７は、ケーシング２ａの下部に装着されている。ドレンパン７は、化粧パネル３の吸入口３１に連通するように形成された吸入孔７１と、化粧パネル３の吹出口３２に対応するように形成された吹出孔７２と、熱交換器６の下側に形成されドレン水を受けるドレン受け溝７３とを有している。また、ドレンパン７の吸入孔７１には、吸入口３１から吸入される空気を送風機４の羽根車４１へ案内するためのベルマウス５が配置されている。そして、ドレンパン７のドレン受け溝７３のうち熱交換器６が配置されていない部分（具体的には、吹出孔７２間）には、ドレン受け溝７３に溜まった水をケーシング２ａ外に排水するためのドレンポンプ８が配置されている。ドレンポンプ８は、ケーシング２ａ外に延びるドレン管９に接続されている。またベルマウス５の下面の外周部には、空気調和装置１を構成する各部の動作を制御する制御部として機能する電装品ユニット２１を備えている。電装品ユニット２１は、空気調和装置１の制御を行うために設けられたマイクロコンピュータやメモリ等が実装された基板を有している。
【００４２】
（２）ドレンポンプ及び電装品ユニットの装置構成
次に、ドレンポンプ８及び電装品ユニット２１の装置構成について、図４を用いて説明する。ここで、図４は、ドレンポンプ８及び電装品ユニット２１の装置構成及びドレンポンプ８の試運転時における制御構成を示す図である。
【００４３】
ドレンポンプ８は、主として、ポンプ本体８１と、ポンプ本体８１を駆動する直流モータ８２とを有している。
【００４４】
ポンプ本体８１には、下部にドレンパン７のドレン受け溝７３に向かって開口する吸込口８１ａが形成されており、上部にドレン管９に接続される吐出口８１ｂが形成されており、ドレンパン７のドレン受け溝７３に溜まった水を吸込口８１ａから吸い上げて昇圧した後に吐出口８１ｂを通じてドレン管９に吐出するようになっている。ここで、吸込口８１ａの下端は、ドレン受け溝７３の底面近傍まで延びているため、ポンプ本体８１は、吸込口８１ａの下端よりも上側までドレン受け溝７３に水が溜まって吸込口８１ａが水に浸かる状態において（ここで、ドレン受け溝７３の水面から吸込口８１ａの下端までの高さを水位ｈとする）、ドレン受け溝７３に溜まった水を吸い上げることができるものである。
【００４５】
直流モータ８２は、電装品ユニット２１の基板上に実装された直流モータ駆動回路２２によって駆動されるようになっている。直流モータ駆動回路２２は、電源２３からの交流電圧を直流電圧に変えて直流モータ８２に印加することが可能な電気回路である。また、直流モータ駆動回路２２は、電装品ユニット２１の基板に実装されたマイクロコンピュータやメモリ等（以下、制御部２４とする）によって制御されるように接続されている。また、直流モータ駆動回路２２には、直流モータ８２に供給される電流値を検出する電流計等からなる電流検出手段２５が接続されている。この電流検出手段２５によって検出される電流値の信号は、電装品ユニット２１の制御部２４に送られるようになっている。また、電装品ユニット２１の制御部２４には、リモートコントローラ２６が接続されており、信号のやりとりができるようになっている。
【００４６】
（３）空気調和装置の設置、ドレン管の設置、及びドレンポンプの試運転
次に、空気調和装置１の設置、冷媒管（図示せず）やドレン管９の設置、及びドレンポンプ８の試運転の一連の処理について、図４〜図６を用いて説明する。ここで、図５は、一連の処理の流れを示すフローチャートである。図６は、ドレンポンプ８の試運転時における電流特性を示す図であって、（ａ）はポンプ揚程が配管揚程まで達した状態における電流特性であり、（ｂ）はポンプ揚程が配管揚程まで達しない状態やドレンパン７への給水量が不足している状態における電流特性である。
【００４７】
まず、ステップＳ１において、空気調和装置１が設置され、ステップＳ２において、冷媒管（図示せず）及びドレン管９が設置され、空気調和装置１に接続される。すなわち、ドレン管９とドレンポンプ８の吐出口８１ｂとが接続されることになる。そして、この際に、ドレン管９の設置状態によって決まる配管揚程Ｈが設定されることになる。ここで、ドレン管９の設置状態とは、ドレン管９の管長や管径、ドレンパン７のドレン受け溝７３からドレン管９の最上部との高低差を含めたドレン管９の配管ルート等を意味する。
【００４８】
次に、ステップＳ３において、ドレンポンプ８の試運転に先立って、ドレンパン７のドレン受け溝７３に意図的に給水を行う。
【００４９】
次に、ステップＳ４において、空気調和装置１の通電を開始し、ステップＳ５において、ドレンポンプ８の試運転を開始する。ここで、通電とは、リモートコントローラ２６等による空気調和装置１の運転動作の開始を意味するのではなく、この前段階としての電源の供給を意味する。そして、ステップＳ４の通電の開始とともに、ドレンポンプ８の試運転を開始するようにしてもよいが、本実施形態では、空気調和装置１の通電を開始した後、リモートコントローラ２６に設けられた試運転スイッチ２６ａによってドレンポンプ８の試運転を行うようにしている。このように、試運転スイッチ２６ａによってドレンポンプ８の試運転を行うことで、例えば、誤って空気調和装置１の通電がされてドレンポンプ８の試運転が開始されることを避けることができ、ドレンポンプ８の試運転作業を確実に行うことができる。また、リモートコントローラ２６に試運転スイッチ２６ａを設けることで、遠隔操作が可能になり、ドレンポンプ８の試運転作業を容易に行うことができる。
【００５０】
そして、リモートコントローラ２６からドレンポンプ８の試運転開始指令の信号を受けた電装品ユニット２１の制御部２４は、直流モータ駆動回路２２から直流モータ８２に直流電圧を印可する制御を開始する。これにより、直流モータ８２が駆動されて、ポンプ本体８１の吸込口８１ａからドレンパン７のドレン受け溝７３に溜まった水が吸込口８１ａから吸い上げられて昇圧された後に、吐出口８１ｂを通じてドレン管９に吐出される運転が開始される。
【００５１】
次に、ステップＳ６において、給水量判定（ステップＳ７）及び排水確認判定（ステップＳ８）において必要な直流モータ８２供給される電流値の変動を所定の監視時間ｔ３だけ監視する。より具体的には、ドレンポンプ８の試運転の開始から監視時間ｔ３までの間に電流検出手段２５によって検出される電流値を電装品ユニット２１の制御部２４に送り、制御部２４を構成するメモリに一時的に格納する等の処理を行う。尚、本実施形態の空気調和装置１では、ポンプ本体８１の駆動に直流モータ８２を使用しているため、ステップＳ６において検出される電流値は、ドレンポンプ８のトルク値と等価なものとして取り扱うことができる。
【００５２】
ここで、ドレンポンプ８の試運転の開始から監視時間ｔ３までの間におけるドレンポンプ８の電流特性について説明する。
【００５３】
まず、図６（ａ）の実線で示された電流特性Ｌ１を用いて、ドレン管９からの排水が行われる場合のドレンポンプ８（すなわち、直流モータ８２）の電流値（すなわち、ドレンポンプ８のトルク値）の変動について説明する。ドレンポンプ８の試運転を開始すると、試運転の開始初期は、ドレンポンプ８の運転中の揚程であるポンプ揚程が低く吐出口８１ｂからの吐出流量が増加する傾向にあるため、電流値は電流値ｉ０まで大きくなる。その後、ポンプ本体８１から吐出された水がドレン管９内に満ちるにつれて、ポンプ揚程が上昇しかつ吐出流量が減少する傾向になるため、電流値は小さくなる。そして、ポンプ揚程が配管揚程Ｈに達するまで水がドレン管９内に満ちると、電流値がほぼ一定となり、この運転状態に見合った吐出流量をもって水がドレン管９から排出されることになる。そして、この運転が継続されると、ドレンパン７のドレン受け溝７３内に給水された水の量が減少して、ドレンパン７のドレン受け溝７３の水位ｈがゼロになり、ポンプ本体８１の吸込口８１ａから吸い込むことができない状態に達するため、水がポンプ本体８１から吐出されなくなって電流値が急激に小さくなる。
【００５４】
これに対して、電流特性Ｌ１における配管揚程Ｈよりも配管揚程が小さくなるようにドレン管９が設置されている場合には、図６（ａ）の一点鎖線で示される電流特性Ｌ２に示されるように、定性的には、電流特性Ｌ１と同様な傾向が見られるが、定量的には、配管揚程Ｈが電流特性Ｌ１における配管揚程よりも小さいため、吐出流量が大きくなる傾向になり、電流特性Ｌ１における電流値よりも高い電流値において一定になる。しかも、吐出流量が大きくなる傾向にあることから、ドレンパン７のドレン受け溝７３内に給水された水の量が速く減少するため、電流特性Ｌ１において電流値が急激に小さくなる時間よりも前に電流値が急激に小さくなる傾向が見られる。また、電流特性Ｌ１における配管揚程Ｈよりも配管揚程が大きくなるようにドレン管９が設置されている場合には、図６（ａ）の二点鎖線で示される電流特性Ｌ３に示されるように、定性的には、電流特性Ｌ１と同様な傾向が見られるが、定量的には、配管揚程Ｈが電流特性Ｌ１における配管揚程よりも大きいため、吐出流量が小さくなる傾向になり、電流特性Ｌ１における電流値よりも低い電流値において一定になる。しかも、吐出流量が小さくなる傾向にあることから、ドレンパン７のドレン受け溝７３内に給水された水の量が遅く減少するため、電流特性Ｌ１において電流値が急激に小さくなる時間よりも後に電流値が急激に小さくなる傾向が見られる。
【００５５】
一方、ポンプ揚程が配管揚程Ｈまで達しない状態（すなわち、ドレン管９からの排水が行われない場合）においては、図６（ｂ）の実線で示される電流特性Ｌ４に示されるように、試運転の開始初期の電流値が電流値ｉ０まで大きくなる傾向や、ポンプ本体８１から吐出された水がドレン管９内に満ちるにつれて電流値は小さくなる傾向は現れるが、ポンプ揚程が配管揚程Ｈに達するまで水がドレン管９内に満ちることなく、水がドレン管９から排出されないままの状態になる。このため、電流特性Ｌ１〜Ｌ３と同様に、電流値はほぼ一定にはなるが、電流特性Ｌ１〜Ｌ３とは異なり、この運転が継続されても、ドレンパン７のドレン受け溝７３内に給水された水の量が減少することはなく、電流値が急激に小さくなる傾向が現れることはない。また、このような電流特性Ｌ４は、ポンプ揚程が配管揚程Ｈまで達しない状態だけでなく、ドレン管９が閉塞している状態においても同様な傾向が現れることになる。
【００５６】
また、ドレンパン７への給水量が不足している状態においては、ポンプ揚程が配管揚程Ｈに達するまで水がドレン管９内に満ちる前に、ドレンパン７のドレン受け溝７３内に給水された水の量が減少して、ドレンパン７のドレン受け溝７３の水位ｈがゼロになり、ポンプ本体８１の吸込口８１ａから吸い込むことができない状態に達することになるため、例えば、ステップＳ３においてドレンパン７への給水を忘れてしまった場合には、図６（ｂ）の一点鎖線で示される電流特性Ｌ５に示されるように、電流値が小さい状態になる。
【００５７】
以上のように、ポンプ揚程が配管揚程Ｈまで達した状態においては、配管揚程Ｈの大小によって、電流特性Ｌ１〜Ｌ３のような電流値の変動が見られることになる。また、ポンプ揚程が配管揚程Ｈまで達しない状態やドレン管９が閉塞している状態においては、電流特性Ｌ４のような電流値の変動が見られることになる。さらに、ドレンパン７への給水が不足している状態においては、電流特性Ｌ５のような電流値の変動が見られることになる。
【００５８】
次に、ステップＳ７において、ステップＳ６において得られたドレンポンプ８の試運転時における直流モータ８２の電流値の変動に基づいて、ドレンパン７への給水量が不足していないかどうかを判定する給水量判定を行う。給水量判定は、ドレンポンプ８の試運転の開始からポンプ揚程が配管揚程Ｈに達するまでの間の電流値が、電流特性Ｌ５のように、ポンプ揚程が配管揚程Ｈに達する前に、ドレンパン７に給水された水がなくなってポンプ本体８１の吸込口８１ａから空気を吸い込む運転がなされている状態（すなわち、ポンプ本体８１の吸込口８１ａから水を吸い込むことができない状態）の電流値を超えているかどうかを判定するものである。より具体的には、給水量判定は、ステップＳ６において得られた直流モータ８２の電流値のデータが、給水適正条件を満たすかどうかを判定するものである。ここで、給水適正条件は、上述のように、ドレンポンプ８の試運転時における電流値の変動のうち、ドレンポンプ８の試運転の開始時点からポンプ揚程が配管揚程Ｈに達する時点までの電流値の変動に着目した条件であり、ドレンポンプ８の試運転の開始から第１時間ｔ１を経過した時点において第２電流設定値ｉ２以上となることである。そして、第１時間ｔ１は、電流特性Ｌ１〜Ｌ３においてポンプ揚程が配管揚程Ｈに達するのに要する時間に対応するように設定されている。また、第２電流設定値ｉ２は、ドレンパン７に給水された水がなくなってポンプ本体８１の吸込口８１ａから空気を吸い込む運転がなされている状態（すなわち、ポンプ本体８１の吸込口８１ａから水を吸い込むことができない状態）の電流値を基準として、判定に支障がないように、それよりも少し大きい電流値に設定されている。
【００５９】
そして、この給水量判定は、給水量判定手段として機能する電装品ユニット２１の制御部２４によって行われ、例えば、ドレンパン７への給水をし忘れた場合（すなわち、電流特性Ｌ５）のように、給水適正条件を満たさない場合には、ドレンパン７への給水が不足しているものとして、ステップＳ９に移行し、異常信号出力手段としても機能する電装品ユニット２１の制御部２４によって、ドレンパン７への給水量が不足している旨の給水異常信号がリモートコントローラ２６に出力されて、リモートコントローラ２６の異常信号表示手段として機能する液晶画面等の表示部２６ｂに給水異常に対応するエラーコードが表示されることになる。そして、この給水異常に対応するエラーコードを見た作業者は、ドレンパン７への給水量が不足した状態においてドレンポンプ８の試運転が行われたことを知り、速やかにドレンパン７への給水をやり直す措置（すなわち、ステップＳ３）をとることができる。逆に、給水量判定において、給水適正条件を満たす場合には、ドレンパン７への給水が適正に行われているものとして、ステップＳ８に移行することになる。
【００６０】
以上のように、この空気調和装置１では、ポンプ本体８１を駆動する直流モータ８２の電流値の変動に基づいて、より具体的には、上述の給水適正条件を満たすかどうかによって、給水量判定を行うようにしているため、ドレンパン７への給水量が不足した状態であるかどうかについての確認を正確に行うことができる。
【００６１】
次に、ステップＳ８において、ステップＳ６において得られたドレンポンプ８の試運転時における直流モータ８２の電流値の変動に基づいて、ドレンポンプ８によるドレン管９からの排水が適正に行われているかどうかを判定する排水確認判定を行う。排水確認判定は、電流特性Ｌ１〜Ｌ３のように、ポンプ揚程が配管揚程Ｈに達するまで水がドレン管９内に満ちた状態になった後からポンプ本体８１の吸込口８１ａから吸い込むことができない状態に達する前までの間の電流値が、ドレン管９からの排水流量が十分に確保できる程度の電流値を超えているかどうかを判定するとともに、ポンプ揚程が配管揚程Ｈに達するまで水がドレン管９内に満ちた状態になった後に、ドレンパン７に給水された水がなくなってポンプ本体８１の吸込口８１ａから空気を吸い込む運転がなされている状態（すなわち、ポンプ本体８１の吸込口８１ａから水を吸い込むことができない状態）の電流値になっているかどうかを判定するものである。より具体的には、排水確認判定は、ステップＳ６において得られた直流モータ８２の電流値のデータが、排水適正条件を満たすかどうかを判定するものである。ここで、排水適正条件は、上述のように、ドレンポンプ８の試運転時における電流値の変動のうち、ポンプ揚程が配管揚程Ｈに達するまで水がドレン管９内に満ちた時点からポンプ本体８１の吸込口８１ａから吸い込むことができない状態に達して水が吐出されなくなる時点までの電流値の変動に着目した条件であり、ドレンポンプ８の試運転の開始から第１時間ｔ１を経過した時点において第１電流設定値ｉ１を超え、かつ、第２時間ｔ２を経過した時点において第２電流設定値ｉ２以下となることである。そして、第１電流設定値ｉ１は、電流特性Ｌ１〜Ｌ３においてポンプ揚程が配管揚程Ｈに達するまで水がドレン管９内に満ちた状態の電流値を基準として、ポンプ揚程と配管揚程Ｈとの関係が適正であり、かつ、ドレン管９からの排水流量が確保できるように、電流特性Ｌ３における電流値と電流特性Ｌ２における電流値との間の電流値に設定されている（すなわち、図６においては、電流特性Ｌ３では、ドレン管９からの排水流量が少ないことを意味する）。また、第２時間ｔ２は、電流特性Ｌ１〜Ｌ３においてドレンポンプの試運転の開始から、ドレン管９からの排水が行われて、ポンプ本体８１の吸込口８１ａから水を吸い込むことができない状態になるまでの時間を基準として、ドレン管９からの排水時間の目標を満たすことができるように、電流特性Ｌ２における時間と電流特性Ｌ３における時間の間の時間に設定されている（すなわち、図６においては、電流特性Ｌ３では、ドレン管９からの排水自体は可能であるが、ドレン管９からの排水時間がかかり過ぎることを意味する）。すなわち、この排水適正条件は、ポンプ揚程と配管揚程Ｈとの関係が適正であるかどうか、及び、ドレン管９からの排水流量が適正であるかどうかという観点から、ドレンポンプ８によるドレン管９からの排水が適正に行われているかどうかを判定する条件を意味している。
【００６２】
そして、この排水確認判定は、排水確認判定手段として機能する電装品ユニット２１の制御部２４によって行われ、例えば、ドレン管９からの排水自体はされるもののその排水流量や排水時間が不十分な場合（すなわち、電流特性Ｌ３）、又は、ポンプ揚程が配管揚程Ｈに達するまで水がドレン管９内に満ちていない場合やドレン管９が閉塞している場合（すなわち、電流特性Ｌ４）のように、排水適正条件を満たさない場合には、ドレン管９からの排水が適正に行われていないものとして、ステップＳ１０に移行し、異常信号出力手段としても機能する電装品ユニット２１の制御部２４によって、ドレンポンプ８によるドレン管９からの排水が適正に行われていない旨の排水異常信号がリモートコントローラ２６に出力されて、リモートコントローラ２６の異常信号表示手段として機能する液晶画面等の表示部２６ｂに排水異常に対応するエラーコードが表示されることになる。そして、この排水異常に対応するエラーコードを見た作業者は、ドレンパン７への給水量が不足した状態においてドレンポンプ８の試運転が行われたことを知り、速やかにドレン管９の設置をやり直す措置（すなわち、ステップＳ２）をとることができる。逆に、排水確認判定において、排水適正条件を満たす場合には、ドレンパン７への給水が適正に行われているものとして、一連の処理が終了することになる。
【００６３】
以上のように、この空気調和装置１では、ポンプ本体８１を駆動する直流モータ８２の電流値の変動に基づいて、具体的には、上述の排水適正条件を満たすかどうかによって、排水確認判定を行うようにしているため、排水確認を行うのに必要なセンサ類が電流計等の電流検出手段のみにすることができ、排水確認を行うのに必要なセンサ類の数が増加するのを抑えることができる。しかも、直流モータ８２の電流値の変動はトルク値に等価なものとして取り扱うことができるため、排水確認判定における定量性も高く、ドレンポンプ８によるドレン管９からの排水確認を十分に行うことができる。
【００６４】
（４）他の実施形態
以上、本発明の実施形態について図面に基づいて説明したが、具体的な構成は、これらの実施形態に限られるものではなく、発明の要旨を逸脱しない範囲で変更可能である。
【００６５】
例えば、上述の実施形態では、天井埋込型の空気調和装置１に本発明を適用したが、ドレンポンプを備えた空気調和装置であれば、種々のものに適用可能である。
【産業上の利用可能性】
【００６６】
本発明を利用すれば、
本発明の課題は、ドレンパン及びドレンポンプを備えた空気調和装置において、ドレンポンプの試運転時に、排水確認を行うのに必要なセンサ類の数が増加するのを抑えつつ、ドレンポンプによるドレン管からの排水確認を十分に行うことができるようになる。
【図面の簡単な説明】
【００６７】
【図１】本発明の一実施形態にかかる空気調和装置の外観斜視図である。
【図２】本発明の一実施形態にかかる空気調和装置の概略側面断面図であって、図３のＡ−Ａ断面図である。
【図３】本発明の一実施形態にかかる空気調和装置の概略平面断面図であって、図２のＢ−Ｂ断面図である。
【図４】本発明の一実施形態にかかるドレンポンプ付近の装置構成及びドレンポンプの試運転時における制御構成を示す図である。
【図５】本発明の一実施形態にかかる一連の処理の流れを示すフローチャートである。
【図６】本発明の一実施形態にかかるドレンポンプの試運転時における電流特性を示す図であって、（ａ）はポンプ揚程が配管揚程まで達した状態における電流特性であり、（ｂ）はポンプ揚程が配管揚程まで達しない状態やドレンパンへの給水量が不足している状態における電流特性である。
【符号の説明】
【００６８】
１  空気調和装置
６  熱交換器
７  ドレンパン
８  ドレンポンプ
９  ドレン管
２６  リモートコントローラ
２６ａ  試運転スイッチ
８１  ポンプ本体
８２  直流モータ
ｉ１  第１電流設定値
ｉ２  第２電流設定値
ｔ１  第１時間
ｔ２  第２時間
【図１】
2007303720.tif 000003
【図２】
2007303720.tif 000004
【図３】
2007303720.tif 000005
【図４】
2007303720.tif 000006
【図５】
2007303720.tif 000007
【図６】
2007303720.tif 000008